【手続補正書】
【提出日】平成30年8月22日(2018.8.22)
【手続補正１】
【補正対象書類名】特許請求の範囲
【補正対象項目名】全文
【補正方法】変更
【補正の内容】
【特許請求の範囲】
【請求項１】
発光素子と、
前記発光素子の発光量に応じた値を有するモニタ電流を出力する出力端子を有する受光素子と、
第１入力端子および第２入力端子を有し、前記モニタ電流と参照電流とを比較する比較部と、
前記比較部による比較結果に基づいて前記発光素子を駆動する駆動部と、
第１電流値を有する第１電流を生成する電流生成部と、
前記第１電流を受ける入力端子、制御信号を受ける入力端子、および、前記参照電流として第２電流値を有する第２電流を出力する出力端子を有する変換部と、を備え、
前記第１電流値に対する前記第２電流値の比率は、前記制御信号に応じて設定され、
前記受光素子の前記出力端子、前記変換部の前記出力端子、および、前記比較部の前記第１入力端子は、相互に接続され、前記第２入力端子は、参照電圧を受ける、
ことを特徴とする記録装置。
【請求項２】
発光素子と、
前記発光素子の発光量に応じた値を有するモニタ電流を出力する受光素子と、
前記受光素子に接続され、前記モニタ電流と参照電流とを比較する比較部と、
前記比較部による比較結果に基づいて前記発光素子を駆動する駆動部と、
第１電流値を有する第１電流を生成する電流生成部と、
前記電流生成部と前記比較部との間の経路に配され、制御信号を受けて、前記参照電流として第２電流値を有する第２電流を出力する変換部と、を備え、
前記第１電流値に対する前記第２電流値の比率は、前記制御信号に応じて設定され、
前記変換部は、それぞれが前記第１電流を受ける少なくとも２つのカレントミラー回路を含む、
ことを特徴とする記録装置。
【請求項３】
前記少なくとも２つのカレントミラー回路のそれぞれは、前記制御信号に基づいてアクティブになる、
ことを特徴とする請求項２に記載の記録装置。
【請求項４】
前記変換部は、前記電流生成部と前記少なくとも２つのカレントミラー回路の１つとを接続するスイッチを含み、
前記制御信号は、前記スイッチをオンまたはオフする、
ことを特徴とする請求項３に記載の記録装置。
【請求項５】
前記比較部は、第１入力端子を含み、前記少なくとも２つのカレントミラー回路の出力端子のそれぞれは、前記第１入力端子に接続されている、
ことを特徴とする請求項４に記載の記録装置。
【請求項６】
前記少なくとも２つのカレントミラー回路の少なくとも２つは、互いに異なるミラー比を有する、
ことを特徴とする請求項５に記載の記録装置。
【請求項７】
前記比較部は、第１入力端子および第２入力端子を含み、
前記受光素子の前記モニタ電流を出力する出力端子、前記変換部の前記参照電流を出力する出力端子、および、前記第１入力端子は、相互に接続され、
前記第２入力端子は、参照電圧を受ける、
ことを特徴とする請求項６に記載の記録装置。
【請求項８】
それぞれが前記発光素子、前記比較部および前記駆動部を含む複数のグループと、
前記複数のグループの１つの前記比較部を前記受光素子に選択的に接続する選択スイッチと、
を更に備える、
ことを特徴とする請求項１乃至７のいずれか１項に記載の記録装置。
【請求項９】
前記発光素子からの光を受ける感光ドラムと、
前記感光ドラムの使用量に応じた信号を前記制御信号として用いて前記変換部を制御する制御部と、をさらに備える
ことを特徴とする請求項１から請求項８のいずれか１項に記載の記録装置。
【請求項１０】
発光素子と、
前記発光素子の発光量に応じた値を有するモニタ電流を出力する出力端子を有する受光素子と、
第１電流値を有する第１電流を生成する電流生成部と、
制御信号および前記第１電流を受けて、参照電流として第２電流値を有する第２電流を出力する出力端子を有する変換部と、
前記受光素子の前記出力端子および前記変換部の前記出力端子の双方に接続された第１入力端子、および、参照電圧を受ける第２入力端子を有する比較部と、
前記比較部からの出力に基づいて前記発光素子を駆動する駆動部と、を備え、
前記第１電流値に対する前記第２電流値の比率は、前記制御信号に応じて設定されている、
ことを特徴とする記録装置。
【請求項１１】
発光素子を駆動するための駆動信号を出力するための第１端子と、
受光素子からのモニタ電流を受けるための第２端子と、
第１入力端子および第２入力端子を有し、前記モニタ電流と参照電流とを比較する比較部と、
前記比較部による比較結果に基づいて前記第１端子へ前記駆動信号を出力する駆動部と、
第１電流値を有する第１電流を生成する電流生成部と、
前記第１電流を受ける入力端子、制御信号を受ける入力端子、および、前記参照電流として第２電流値を有する第２電流を出力する出力端子を有する変換部と、を備え、
前記第１電流値に対する前記第２電流値の比率は、前記制御信号に応じて設定され、
前記受光素子の前記出力端子、前記変換部の前記出力端子、および、前記比較部の前記第１入力端子は、相互に接続され、前記第２入力端子は、参照電圧を受ける、
ことを特徴とする発光素子駆動用基板。
【請求項１２】
発光素子と、
前記発光素子の発光量に応じた値を有するモニタ電流を出力する受光素子と、
第１電流値を有する第１電流を生成する電流生成部と、
制御信号および前記第１電流を受けて、参照電流として第２電流値を有する第２電流を出力する変換部と、
前記受光素子の前記モニタ電流を出力する出力端子、および、前記変換部の前記参照電流を出力する出力端子の双方に接続された第１入力端子、および、参照電圧を受ける第２入力端子を有する比較部と、
前記比較部による比較結果に基づいて前記発光素子を駆動する駆動部と、を備え、
前記第１電流値に対する前記第２電流値の比率は、前記制御信号に応じて設定され、  前記変換部は、それぞれが前記第１電流を受ける少なくとも２つのカレントミラー回路を含む、
ことを特徴とする記録装置。
【請求項１３】
前記少なくとも２つのカレントミラー回路のそれぞれは、前記制御信号に基づいてアクティブになる、
ことを特徴とする請求項１２に記載の記録装置。
【請求項１４】
前記変換部は、前記電流生成部と前記少なくとも２つのカレントミラー回路の１つとを接続するスイッチを含み、
前記制御信号は、前記スイッチをオンまたはオフする、
ことを特徴とする請求項１３に記載の記録装置。
【請求項１５】
前記比較部は、第１入力端子を含み、前記少なくとも２つのカレントミラー回路の出力端子のそれぞれは、前記第１入力端子に接続されている、
ことを特徴とする請求項１４に記載の記録装置。
【請求項１６】
前記少なくとも２つのカレントミラー回路の少なくとも２つは、互いに異なるミラー比を有する、
ことを特徴とする請求項１５に記載の記録装置。
【請求項１７】
前記比較部は、第１入力端子および第２入力端子を含み、
前記受光素子の前記モニタ電流を出力する前記出力端子、前記変換部の前記参照電流を出力する前記出力端子、および、前記第１入力端子は、相互に接続され、
前記第２入力端子は、参照電圧を受ける、
ことを特徴とする請求項１６に記載の記録装置。
【請求項１８】
それぞれが前記発光素子、前記比較部および前記駆動部を含む複数のグループと、
前記複数のグループの１つの前記比較部を前記受光素子に選択的に接続する選択スイッチと、
を更に備える、
ことを特徴とする請求項１１に記載の発光素子駆動用基板。
【手続補正２】
【補正対象書類名】明細書
【補正対象項目名】０００７
【補正方法】変更
【補正の内容】
【０００７】
本発明の１つの側面は、記録装置に係り、前記記録装置は、発光素子と、前記発光素子の発光量に応じた値を有するモニタ電流を出力する出力端子を有する受光素子と、第１入力端子および第２入力端子を有し、前記モニタ電流と参照電流とを比較する比較部と、前記比較部による比較結果に基づいて前記発光素子を駆動する駆動部と、第１電流値を有する第１電流を生成する電流生成部と、前記第１電流を受ける入力端子、制御信号を受ける入力端子、および、前記参照電流として第２電流値を有する第２電流を出力する出力端子を有する変換部と、を備え、前記第１電流値に対する前記第２電流値の比率は、前記制御信号に応じて設定され、前記受光素子の前記出力端子、前記変換部の前記出力端子、および、前記比較部の前記第１入力端子は、相互に接続され、前記第２入力端子は、参照電圧を受ける。